(57)【要約】【課題】内部に食材等の内容物を充填する際に底シール部の後退及び抜けを抑制する易開封性包装体、及びそれに食材が収納された包装食品を提供する。【解決手段】２枚のプラスチックフィルムにより形成された易開封性包装体であって、前記２枚のプラスチックフィルムは、底部に設けられた底シール部と、両側縁部に設けられた横シール部とにおいてヒートシールされており、内部に内容物を充填した後に前記２枚のプラスチックフィルムの上部をヒートシールすることで前記内容物を密封包装可能であり、さらに、前記底シール部の上方かつ前記横シール部の内側にポイントシール（Ａ）が施されている易開封性包装体を用いる。【選択図】図１
2015067305.tif 000002
【特許請求の範囲】
【請求項１】
２枚のプラスチックフィルムにより形成された易開封性包装体であって、
前記２枚のプラスチックフィルムは、底部に設けられた底シール部と、両側縁部に設けられた横シール部とにおいてヒートシールされており、内部に内容物を充填した後に前記２枚のプラスチックフィルムの上部をヒートシールすることで前記内容物を密封包装可能であり、
さらに、前記底シール部の上方かつ前記横シール部の内側にポイントシール（Ａ）が施されている易開封性包装体。
【請求項２】
前記ポイントシール（Ａ）は、内部に内容物を充填する際に底シール部の後退及び抜けを抑制する請求項１に記載の易開封性包装体。
【請求項３】
前記ポイントシール（Ａ）は、前記２枚のプラスチックフィルムの中央下部に施されている請求項１又は２に記載の易開封性包装体。
【請求項４】
複数箇所のポイントシール（Ａ）が施されている請求項１〜３のいずれか１項に記載の易開封性包装体。
【請求項５】
前記複数箇所のポイントシール（Ａ）が、横方向に並んでいる請求項４に記載の易開封性包装体。
【請求項６】
前記ポイントシール（Ａ）は、円又は楕円形状である請求項１〜５のいずれか１項に記載の易開封性包装体。
【請求項７】
前記底シール部は、Ｖ字又はＵ字の形状に形成されている請求項１〜６のいずれか１項に記載の易開封性包装体。
【請求項８】
前記底シール部は、Ｖ字又はＵ字の最下部に設けられた突起状シール部を含む請求項７に記載の易開封性包装体。
【請求項９】
前記底シール部を剥離させることで開封可能である請求項１〜８のいずれか１項に記載の易開封性包装体。
【請求項１０】
前記２枚のプラスチックフィルムは、前記底シール部の下方に未シール領域を有する請求項９に記載の易開封性包装体。
【請求項１１】
前記２枚のプラスチックフィルムは、前記未シール領域に、前記未シール領域のカール防止のためのポイントシール（Ｂ）が施されている請求項１０に記載の易開封性包装体。
【請求項１２】
複数箇所のポイントシール（Ｂ）が施されている請求項１１に記載の易開封性包装体。
【請求項１３】
食材を収納するための請求項１〜１２のいずれか１項に記載の易開封性包装体。
【請求項１４】
請求項１３に記載の易開封性包装体に食材が収納された包装食品。
【発明の詳細な説明】
【技術分野】
【０００１】
本発明は、内部に食材等の内容物を収納するための易開封性包装体、及びそれに食材が収納された包装食品に関する。
【背景技術】
【０００２】
近年、様々な惣菜用の冷凍食品が発売されている。冷凍食品のパッケージとしては種々提案されているが、食の簡便化志向の高まりの中で、あらかじめ調理された惣菜が袋状の包装体に充填・冷凍された状態で流通し、家庭においてはそれを解凍してお皿に出すことで、そのまま食べられるような方式が注目を集めている。
【０００３】
このようなパッケージを可能とする包装体として、いわゆる三方袋が広く利用されている。三方袋とは、四角形状の袋の両側縁部及び底部のみがシールされ、上部は開口している袋である。そして、その三方袋の開口した上部から内部に食材等の内容物を充填した後、上部をシールすることで内容物を密封包装することができる。
【０００４】
ところで、包装体を開封する方法としては、あらかじめ設けられたノッチ部から袋を引き裂く方法が一般的である。しかし、この方式では、開封口が小さくなる傾向があり、内容物によっては取り出しにくいという問題点があった。
【０００５】
そこで、特許文献１では、底シール部にイージーピールシーラントを使用した剥離展開方式の包装体が提案されている。この方式であれば、開封口を大きくすることができ、内容物を取り出しやすくなる。なお、特許文献１に記載された包装体は、電子部品や医療用器具、特定の薬剤等を包装することが想定されている。
【先行技術文献】
【特許文献】
【０００６】
【特許文献１】特許第４４５０９３２号公報
【発明の概要】
【発明が解決しようとする課題】
【０００７】
しかし、特許文献１に記載されている構成の包装体に食材を充填すると、底シール部が食材の重量に耐えきれず、底シール部が後退したり抜けてしまったりする問題点があった。
【０００８】
そこで、本発明は、内部に食材等の内容物を充填する際に底シール部の後退及び抜けを抑制する易開封性包装体、及びそれに食材が収納された包装食品を提供することを目的とする。
【課題を解決するための手段】
【０００９】
本発明に係る易開封性包装体は、２枚のプラスチックフィルムにより形成された易開封性包装体であって、前記２枚のプラスチックフィルムは、底部に設けられた底シール部と、両側縁部に設けられた横シール部とにおいてヒートシールされており、内部に内容物を充填した後に前記２枚のプラスチックフィルムの上部をヒートシールすることで前記内容物を密封包装可能であり、さらに、前記底シール部の上方かつ前記横シール部の内側にポイントシール（Ａ）が施されている。
【００１０】
また、本発明に係る包装食品は、上記の易開封性包装体に食材が収納されている。
【発明の効果】
【００１１】
本発明によれば、内部に食材等の内容物を充填する際に底シール部の後退及び抜けを抑制する易開封性包装体、及びそれに食材が収納された包装食品を提供できる。
【図面の簡単な説明】
【００１２】
【図１】本発明の一実施形態に係る易開封性包装体の構造を示す模式図である。
【発明を実施するための形態】
【００１３】
本発明に係る易開封性包装体の一実施形態を、図面を参照しつつ説明する。本発明に係る易開封性包装体は、電子部品や医療用器具、特定の薬剤等を収納するために用いることもできるが、食材を収納する包装体として好適である。
【００１４】
図１に、本発明に係る易開封性包装体１の構造を示す。易開封性包装体１は、２枚のプラスチックフィルムが、底部に設けられた底シール部１２と、両側縁部に設けられた横シール部１１とにおいてヒートシールされることで形成されている。そして、内部に食材等の内容物を充填した後に２枚のプラスチックフィルムの上部をヒートシールすることで内容物を密封包装可能なものである。このような易開封性包装体１としては、例えば、図１に示すような三方袋が挙げられる。
【００１５】
プラスチックフィルムは、内部に食材が収納された状態で電子レンジ等により加熱処理がなされる可能性を考慮すると、電子レンジの加熱に対する耐熱性を有するプラスチック素材で形成されていることが好ましい。そのようなプラスチック素材の具体例としては、ポリエチレン、ポリプロピレン等のポリオレフィン；ポリ塩化ビニリデン、ポリフッ化ビニリデン等のハロゲン化ポリオレフィン；ポリビニルアルコール；ナイロン６、ナイロン６，６、ポリメタキシリレンアジパミド等のポリアミド；ポリエチレンテレフタレート、ポリエチレンナフタレート、ポリブチレンテレフタレート、ポリブチレンナフタレート等のポリエステル；ポリ（メタ）アクリル酸メチル、ポリ（メタ）アクリル酸エチル、ポリ（メタ）アクリル酸ブチル等のポリアクリル酸エステル；及びこれらを形成するモノマーの共重合体などが挙げられる。なお、「（メタ）アクリル」は、メタクリル又はアクリルを意味する。
【００１６】
ポリエチレンの具体例としては、直鎖状低密度ポリエチレン、高圧法低密度ポリエチレン、高密度ポリエチレン、メタロセン系ポリエチレンなどが挙げられる。ポリプロピレンの具体例としては、プロピレンのホモポリマー、プロピレンとエチレンや１−ブテンとのランダム又はブロックコポリマーなどが挙げられる。前述したポリマーを形成するモノマーの共重合体の具体例としては、エチレン−ビニルアルコール共重合体、塩化ビニリデン−アクリル酸エステル系共重合体などが挙げられる。
【００１７】
プラスチックフィルムは、単層でもよいが、共押出しなどにより２層以上に積層されていてもよい。プラスチックフィルムの層を構成するフィルムは、無延伸フィルムでもよく、一軸延伸フィルムでもよく、二軸延伸フィルムでもよい。プラスチックフィルムは、酸化アルミニウムや酸化ケイ素のような無機酸化薄膜が付与されたガスバリアー性の複合フィルムでもよい。この複合フィルムは、酸化アルミニウムや酸化ケイ素の単体又は混合物を真空下で加熱気化させ、上記のフィルムの表面に蒸着することで得ることができる。
【００１８】
具体的には、プラスチックフィルムとして、基材層となるポリアミドフィルムと、シーラント層となるポリプロピレン系イージーオープンフィルムとを貼り合わせた積層フィルムを用いることができる。
【００１９】
横シール部１１及び底シール部１２は、プラスチックフィルムのうち、横シール部１１及び底シール部１２を構成する部分を、必要に応じてイージーオープンテープ（不図示）を挿入した状態でヒートシールされることで形成される。
【００２０】
底シール部１２は、常温において易開封性を有することが好ましい。底シール部１２の常温雰囲気下でのヒートシール強度は、１〜１５Ｎ／１５ｍｍが好ましく、３〜１０Ｎ／１５ｍｍがより好ましい。なお、常温雰囲気下でのヒートシール強度とは、ＪＩＳ  Ｚ０２３８「密封軟包装袋の試験方法」に従い、常温（２３℃６５％ＲＨ）雰囲気下で測定された値である。横シール部１１は、常温において完全シールでもよく、例えば底シール部１２と同様の易開封性を有していてもよい。また、横シール部１１及び底シール部１２は、加熱による内部圧力の上昇により開封しないことが好ましい。
【００２１】
底シール部１２は、Ｖ字又はＵ字の形状に形成されていることが好ましい。Ｖ字又はＵ字の形状であれば、内部に食材等の内容物を充填する際に底シール部１２の後退及び抜けを効果的に抑制することができる。また、そのＶ字又はＵ字の最下部において後退又は抜けが起きやすいことから、突起状シール部１２ａを設けることで、その部分の底シール部の幅を大きくすることが好ましい。
【００２２】
横シール部１１のシール幅は、３〜１５ｍｍとすることが好ましく、５〜１２ｍｍとすることがより好ましく、７〜１０ｍｍとすることがさらに好ましい。底シール部１２のシール幅は、２〜１０ｍｍとすることが好ましく、３〜８ｍｍとすることがより好ましく、４〜６ｍｍとすることがさらに好ましい。
【００２３】
本発明では、さらに、底シール部１２の上方かつ横シール部１１の内側にポイントシール（Ａ）２１が施されている。こうすることで、内部に充填された食材等の内容物による底シール部１２への衝撃が抑えられ、底シール部１２の後退及び抜けを抑制することが可能となる。
【００２４】
ポイントシール（Ａ）２１の設置位置は、内部に食材等の内容物を充填する際に底シール部の後退及び抜けを抑制可能な場所であれば特に制限はないが、図１に示すように、底シール部１２の上方かつ横シール部１１の内側であって、２枚のプラスチックフィルムの中央下部に施されていることが好ましい。ポイントシール（Ａ）２１は、１つでも構わないが、複数箇所設けられていてもよい。その数は、例えば２〜６個とすることが好ましく、３〜５個とすることがより好ましい。複数箇所に設けられたポイントシール（Ａ）２１は、図１に示すように、横方向（内容物の投入方向に垂直な方向）に並んでいることが好ましい。ポイントシール（Ａ）２１の間隔は、４〜１２ｍｍとすることが好ましく、６〜１０ｍｍとすることがより好ましく、７〜９ｍｍとすることがさらに好ましい。ポイントシール（Ａ）２１の間隔は、等間隔でもよく、異なっていてもよい。
【００２５】
ポイントシール（Ａ）２１の形状としては、三角形、四角形等の多角形、円、楕円、星型などが挙げられるが、食材等の内容物による衝撃が集中しにくい円又は楕円が好ましい。楕円の場合、図１に示すように、長径が横方向（内容物の投入方向に垂直な方向）に向いていることが好ましい。楕円の場合の長径は、４〜１０ｍｍとすることが好ましく、６〜８ｍｍとすることがより好ましい。楕円の場合の短径は、３〜７ｍｍとすることが好ましく、５〜６ｍｍとすることがより好ましい。
【００２６】
ポイントシール（Ａ）２１は、常温において易開封性を有することが好ましい。ポイントシール（Ａ）２１の常温雰囲気下でのヒートシール強度は、１〜１５Ｎ／１５ｍｍが好ましく、３〜１０Ｎ／１５ｍｍがより好ましい。
【００２７】
本発明では、前述のとおり、底シール部１２を剥離させることで開封可能であることが好ましいが、このとき、易開封性包装体１を構成する２枚のプラスチックフィルムは、底シール部１２の下方に未シール領域１５を有することが好ましい。こうすることで、未シール領域１５のプラスチックフィルムを持って、底シール部１２を容易に剥離させることができる。未シール領域１５は、図１に示すように、底シール部１２の下方全域に形成されていることが好ましい。
【００２８】
ただし、プラスチックフィルムは、未シール領域１５でカールしやすい。そこで、未シール領域１５に、未シール領域１５のカール防止のためのポイントシール（Ｂ）２２が施されていることが好ましい。
【００２９】
ポイントシール（Ｂ）２２の設置位置は、未シール領域１５のカールを防止可能な場所であれば特に制限はないが、図１に示すように、プラスチックフィルムの最下部に施されていることが好ましい。ポイントシール（Ｂ）２２は、１つでも構わないが、複数箇所設けられていてもよい。その数は、例えば２〜６個とすることが好ましく、３〜５個とすることがより好ましい。特に、ポイントシール（Ｂ）２２は、少なくともプラスチックフィルムの最下部の両角に設けられていることが好ましい。ポイントシール（Ｂ）２２の間隔は、２０〜８０ｍｍとすることが好ましく、３０〜５０ｍｍとすることがより好ましい。ポイントシール（Ｂ）２２の間隔は、等間隔でもよく、異なっていてもよい。ポイントシール（Ｂ）２２の形状及び大きさには、特に制限はなく、例えばポイントシール（Ａ）と同様とすることができる。
【００３０】
本発明に係る包装食品は、上記の易開封性包装体に食材が収納されたものである。収納される食材の具体例としては、牛丼、カレー、ハンバーグ、中華丼、酢豚、エビチリ、麺の具材、スープ、焼きそば、煮魚、焼魚、餃子、シューマイ、小籠包、中華まん、八宝菜、肉団子、麻婆豆腐、ロールキャベツ、担々麺・広東麺などの具材、焼豚、白飯、赤飯ピラフ、炒飯、いかめし、焼おにぎり、オムライス、焼きいも、ピザ、パスタソース、シチューなどが挙げられる。収納される具材は、固体状でもよく、液状でもよい。
【実施例】
【００３１】
＜実施例１＞
二軸延伸ナイロン（ユニチカ株式会社製、商品名：ＯＮ−ＲＴ、厚さ：１５μｍ）と、ポリプロピレン系イージーオープンフィルム（株式会社サンエー化研製、商品名：サンシールＦＭ、厚さ：５０μｍ）とをラミネーターで貼り合わせたプラスチックフィルムを用いて、図１に示す構造を有する易開封包装体を作製した。なお、包装体の寸法は横１４０ｍｍ×縦１９０ｍｍとし、楕円形状（長径：７．０ｍｍ、短径：５．５ｍｍ）のポイントシール（Ａ）及びポイントシール（Ｂ）を各４箇所、等間隔に形成した。ポイントシール（Ａ）の間隔は８．０ｍｍとした。
【００３２】
＜比較例１＞
ポイントシール（Ａ）を形成しなかったこと以外は、実施例１と同様にして、易開封包装体を作製した。
【００３３】
＜評価＞
実施例１及び比較例１で作製した易開封包装体を各２０個準備し、それぞれ１０個ずつに「さんまの生姜煮（１８０ｇ）」及び「白身魚の南蛮漬け（１９０ｇ）」を充填し、その際の底シール部の後退及び抜けの有無を確認した。結果を表１に示す。
【００３４】
【表１】
2015067305.tif 000003
【００３５】
以上のように、本発明に係る易開封性包装体を用いることで、内部に食材等の内容物を充填する際に底シール部の後退及び抜けを抑制できることが分かった。
【符号の説明】
【００３６】
１      易開封性包装体
１１    横シール部
１２    底シール部
１２ａ  突起状シール部
１５    未シール領域
２１    ポイントシール（Ａ）
２２    ポイントシール（Ｂ）
【図１】
2015067305.tif 000004